(57)【要約】【課題】  オペレータに高度な熟練度を求めず、煩雑な画面操作を必要とせずに選択した個々のメッセージに的確な着目先の関連画面を直接表示できるメッセージ表示装置を実現する。【解決手段】  階層的に記述されたメッセージを表示する、メッセージ表示装置において、  リンク先表示画面が予め用意されているメッセージを選択するメッセージ選択手段と、  選択されたメッセージに関連するデータを収集してリンク先表示画面の表示データを生成する、表示データ生成手段と、  生成された前記表示データを取得して前記リンク先表示画面を表示させる、リンク画面表示手段と、を備える。【選択図】                    図１
2007264861.tif 000002
【特許請求の範囲】
【請求項１】
階層的に記述されたメッセージを表示する、メッセージ表示装置において、
リンク先表示画面が予め用意されているメッセージを選択するメッセージ選択手段と、
選択されたメッセージに関連するデータを収集してリンク先表示画面の表示データを生成する、表示データ生成手段と、
生成された前記表示データを取得して前記リンク先表示画面を表示させる、リンク画面表示手段と、
を備えることを特徴とするメッセージ表示装置。
【請求項２】
前記メッセージ選択手段は、リンク先表示画面があるメッセージが識別表示された画面より、特定のメッセージを指定することを特徴とする請求項１に記載のメッセージ表示装置。
【請求項３】
前記表示データ生成手段は、選択された前記特定メッセージ以下の階層に関する関連データを収集することを特徴とする請求項１または２に記載のメッセージ表示装置。
【請求項４】
前記表示データ生成手段は、選択された前記特定メッセージに直接関連するデータに加えて、参考となるデータをリアルタイムに収集することを特徴とする請求項１乃至３のいずれかに記載のメッセージ表示装置。
【請求項５】
前記リンク画面表示手段は、選択可能なメッセージに対応して予めエンジニアリングされた少なくとも１個のリンク画面プログラムを備えることを特徴とする請求項１乃至４のいずれかに記載のメッセージ表示装置。
【請求項６】
前記メッセージは、分散型制御システムにおける制御装置から操作監視装置に通知される、プラントのイベント情報であることを特徴とする請求項１乃至５のいずれかに記載のメッセージ表示装置。
【発明の詳細な説明】
【技術分野】
【０００１】
本発明は、階層的に記述されたメッセージを表示する、メッセージ表示装置に関するものである。
【背景技術】
【０００２】
分散型制御システムにおいて、プラントで発生するメッセージを収集して操作監視手段に表示させる技術については特許文献１に開示されている。図４は、分散型制御システムに適用した従来のメッセージ表示装置の構成例を示す機能ブロック図である。
【０００３】
１は操作監視装置であり、制御バス２に接続されている。１１は収集されるメッセージ保持手段、１２はメッセージ一覧表示手段、１３はモニタ、１２ａはメッセージ一覧表示手段１２で生成されたメッセージ一覧表示画面である。
【０００４】
３は制御装置であり、制御バス２接続されて操作監視装置１と通信すると共に、フィールドバス４を介してプラント５の機器５１，５２，…５ｎと通信して制御を実行する。３１はＣＰＵ、３２は入出力モジュール（ＩＯＭ）である。
【０００５】
分散型制御システムでは、プラント５の運転中に機器より発生した注意報や、警報、緊急アラームといったオペレータに伝達すべき情報がメッセージ（例えばシステムアラーム）として制御装置３を介して操作監視装置１に通知され、メッセージ保持手段１１で所定期間保持され、メッセージ一覧表示手段１２により階層的に記述された表示データが生成され、モニタ１３のメッセージ一覧表示画面１２ａに単純に一覧表示される。
【０００６】
図５は、従来のメッセージ表示画面例である。所定の期間に発生メッセージが時系列的に、かつ機器のタグ名を筆頭として階層的にメッセージの具体的な内容の詳細が一覧表示されている。
【０００７】
特許文献１には、プロセスで発生するアラームをアラームウィンドウに表示するアラーム監視装置が記載されている。
【０００８】
【特許文献１】特開２００６−１２０２３号公報
【発明の開示】
【発明が解決しようとする課題】
【０００９】
従来のメッセージ表示装置では、次のような問題点がある。
（１）所定の期間に発生メッセージが時系列的に、かつ機器のタグ名を筆頭として階層的にメッセージの内容が一覧表示されているだけであり、そのメッセージの情報源にたどり着き、そこから着目した先の関連画面を出すには、オペレータがメッセージ画面の意味を的確に理解できる高いスキルを要求される。
【００１０】
（２）メッセージを的確に理解するというオペレータの熟練度が必要であると共に、着目した先の関連画面を的確に出すために、別画面の操作を実施する必要があり、操作手順が煩雑となる。
【００１１】
本発明は上述した問題点を解決するためになされたものであり、オペレータに高度な熟練度を求めず、煩雑な画面操作を必要とせずに選択した個々のメッセージに的確な着目先の関連画面を直接表示できるメッセージ表示装置を実現することを目的としている。
【課題を解決するための手段】
【００１２】
このような課題を達成するために、本発明は次の通りの構成になっている。
（１）階層的に記述されたメッセージを表示する、メッセージ表示装置において、
リンク先表示画面が予め用意されているメッセージを選択するメッセージ選択手段と、
選択されたメッセージに関連するデータを収集してリンク先表示画面の表示データを生成する、表示データ生成手段と、
生成された前記表示データを取得して前記リンク先表示画面を表示させる、リンク画面表示手段と、
を備えることを特徴とするメッセージ表示装置。
【００１３】
（２）前記メッセージ選択手段は、リンク先表示画面があるメッセージが識別表示された画面より、特定のメッセージを指定することを特徴とする（１）に記載のメッセージ表示装置。
【００１４】
（３）前記表示データ生成手段は、選択された前記特定メッセージ以下の階層に関する関連データを収集することを特徴とする（１）または（２）に記載のメッセージ表示装置。
【００１５】
（４）前記表示データ生成手段は、選択された前記特定メッセージに直接関連するデータに加えて、参考となるデータをリアルタイムに収集することを特徴とする（１）乃至（３）のいずれかに記載のメッセージ表示装置。
【００１６】
（５）前記リンク画面表示手段は、選択可能なメッセージに対応して予めエンジニアリングされた少なくとも１個のリンク画面プログラムを備えることを特徴とする（１）乃至（４）のいずれかに記載のメッセージ表示装置。
【００１７】
（６）前記メッセージは、分散型制御システムにおける制御装置から操作監視装置に通知される、プラントのイベント情報であることを特徴とする（１）乃至（５）のいずれかに記載のメッセージ表示装置。
【発明の効果】
【００１８】
以上説明したことから明らかなように、本発明によれば次のような効果がある。
（１）オペレータは、一覧表示画面上でリンク先表示画面が予め用意されていることを識別表示したメッセージを選択することで自動的にそのメッセージの情報源にたどり着き、着目した先の関連画面が自動的に表示されるので、オペレータがメッセージ画面の意味を的確に理解する高いスキルを要求しない。
【００１９】
（２）メッセージを的確に理解するというオペレータの熟練度なしに着目した先の関連画面を的確に表示できるので、別画面の呼び出し操作等の煩雑な画面操作を必要としない。
【発明を実施するための最良の形態】
【００２０】
以下、本発明を図面により詳細に説明する。図１は、本発明のメッセージ表示装置を適用した分散型制御システムの一実施形態を示す機能ブロック図である。図４で説明した従来のメッセージ装置と同一要素には同一符号を付して説明を省略する。以下、本発明の特徴部につき説明する。
【００２１】
１００は、本発明のメッセージ表示装置が適用された操作監視手段である。メッセージ保持手段１０１、メッセージ一覧表示手段１０２、モニタ１０３は、図４で説明したメッセージ保持手段１１、メッセージ一覧表示手段１２、モニタ１３と同一機能を有する。
【００２２】
１０４は、本発明の特徴部をなすメッセージ選択手段であり、メッセージ一覧表示手段１０２から取得した、図５に示したメッセージ一覧表示画面１２ａをベースとして、予めリンク先表示画面が用意されているメッセージを識別表示した選択画面１０４ａをモニタ手段１０３に表示する。
【００２３】
図２は、選択画面１０４ａの表示例である。網掛け表示で識別されたメッセージが、予めリンク先表示画面が用意されているメッセージである。識別の手法は、色別、字体、アンダーライン等任意である。オペレータは、選択画面上で識別表示されたメッセージをキーボードやマウス等のクリックで選択することによりメッセージが特定され、リンク先表示画面が指定される。
【００２４】
１０５は表示データ生成手段である。この表示データ生成手段は、選択画面１０４ａで選択された特定メッセージ以下の階層に関する表示データを収集する。１０５ａは関連データ収集手段であり、選択された特定メッセージに直接関連するデータを収集する。
【００２５】
１０５ｂは参考データ収集手段であり、選択された特定メッセージに直接関連するデータに加えて、参考となるデータをリアルタイムに収集する。この参考データは、例えば制御装置３のＣＰＵ３１やＩＯＭ３２の状態情報等である。
【００２６】
１０６はリンク画面表示手段である。選択画面１０４ａで識別表示されて選択可能なメッセージに対応して予めエンジニアリングされた少なくとも１個のリンク画面プログラムを備える。このリンク画面プログラムが表示データ生成手段１０５で収集した関連データ及び参考データを読み込んで、モニタ１０３にリンク先表示画面１０６ａを描画表示する。
【００２７】
図３は、リンク先表示画面例である。例えばメッセージとしてシステムアラームの表示を考える。図２の選択画面で、最初の行にある識別表示された「FCS0101」を選択することにより、図３に示す「FCS0101」の情報を示す稼動状態画面へと直接展開する。
【００２８】
本発明では、リンク画面表示手段１０６のリンク画面プログラムは、制御バス２に接続されたエンジニアリングステーション（図示せず）で予めエンジニアリングしてデータベース化された情報をダウンロードして使用する。
【００２９】
エンジニアリングにより、リンク先を一段だけでなく、リンク先からさらに関連のある情報源へとさらなるリンク先を設けた多段ハイパーリンク構成とすることも可能である。
ハイパーリンクのリンク情報を画面に出すことで、ハイパーリンク関係が視覚的に把握でき、全体構造を的確にオペレータが把握できることが可能となる。
【図面の簡単な説明】
【００３０】
【図１】本発明のメッセージ表示装置を適用した分散型制御システムの一実施形態を示す機能ブロック図である。
【図２】選択画面の表示例である。
【図３】リンク先表示画面例である。
【図４】分散型制御システムに適用した従来のメッセージ表示装置の構成例を示す機能ブロック図である。
【図５】従来のメッセージ表示画面例である。
【符号の説明】
【００３１】
２  制御バス
３  制御装置
３１  ＣＰＵ
３２  ＩＯＭ
４  フィールドバス
５  プラント
５１，５２，…５ｎ  機器
１００  操作監視装置
１０１  メッセージ保持手段
１０２  メッセージ一覧表示手段
１０３  モニタ
１０４  メッセージ選択手段
１０４ａ  選択画面
１０５  表示データ生成手段
１０５ａ  関連データ収集手段
１０５ｂ  参考データ収集手段
１０６  リンク画面表示手段
１０６ａ  リンク先表示画面
【図１】
2007264861.tif 000003
【図２】
2007264861.tif 000004
【図４】
2007264861.tif 000005
【図５】
2007264861.tif 000006
【図３】
2007264861.tif 000007